(57)【要約】【課題】室内ユニットの前面パネルの大半をフラットな面とし、１個所もしくは２個所程度の比較的大きな空気吸込部を備え、その空気吸込部より指等が挿入されることがなく、正面方向から見て室内ユニットの本体内部が視野に入らないようにすることを目的とする。【解決手段】室内ユニット１内に熱交換器９、ファン８及び高電圧部７を収納し、室内ユニット１の脱着自在な前面パネル２に空気吸込部３を１個所に集約して配置し、前面パネル２に空気吸込部３の幅方向に所定間隔を置いて垂直方向に突出する複数の格子支持部材４を一体的に設け、格子支持部材４に脱着自在な格子部品５を装着するようにしたものである。【選択図】　　　　図１
2004085153.tif 000002
【特許請求の範囲】
【請求項１】
室内ユニット内に熱交換器、ファン及び高電圧部を収納し、室内ユニットの脱着自在な前面パネルに空気吸込部を１個所もしくは２個所程度に集約して配置した空気調和機において、
前記前面パネルに前記空気吸込部の幅方向に所定間隔を置いて垂直方向に突出する複数の格子支持部材を一体的に設け、該格子支持部材に格子部品を装着したことを特徴とする空気調和機。
【請求項２】
前記格子部品の格子の間隔は、指が入らない間隔としたことを特徴とする請求項１記載の空気調和機。
【請求項３】
前記格子部品の前記前面パネルへの装着は、該前面パネル裏側としたことを特徴とする請求項１又は２に記載の空気調和機。
【請求項４】
室内ユニット内に熱交換器、ファン及び高電圧部を収納し、室内ユニットの脱着自在な前面パネルに空気吸込部を１個所もしくは２個所程度に集約して配置した空気調和機において、
前記前面パネルは前記空気吸込部の開口を正面より見て塞ぐようにした開口閉塞部材を備えていることを特徴とする空気調和機。
【請求項５】
前記格子部品は前記空気吸込部の開口を正面より見て塞ぐようにした開口閉塞部材を備えていることを特徴とする請求項１〜３のいずれかにに記載の空気調和機。
【請求項６】
前記格子部品の色を前記前面パネルの色と相違させたことを特徴とする請求項１〜３のいずれかに記載の空気調和機。
【請求項７】
前記空気吸込部の開口を正面より見て塞ぐようにした開口閉塞部材の色を前記前面パネルの色と相違させたことを特徴とする請求項４又は５のいずれかに記載の空気調和機。
【発明の詳細な説明】
【０００１】
【発明の属する技術分野】
本発明は例えば空気調和機の室内ユニットに関するもので、特に空気吸込部を１個所もしくは２個所程度に集約した脱着自在の前面パネルに関するものである。
【０００２】
【従来の技術】
図１０は例えば特開昭７−２１７９３号公報に開示されている従来の空気調和機の前面パネルを示す正面図、図１１は同空気調和機の前面パネルの断面図である。
図において、従来の空気調和機の室内ユニット１１の前面パネル１２は、室内ユニット１１の幅方向に所定間隔を存して設けられる複数の縦桟１３とこれら縦桟１３相互を連結して一体化する上下方向に所定間隔を存して設けられる複数の横桟１４とからなっている。
特に横桟１４は、室内ユニット１２が壁面高所に設けられることから、室内ユニット１１の本体内部が視野にはいらないよう、視線方向とは反対側方向である手前側に向かって斜め上方向に延出して形成されている。そして、縦桟１３と横桟１４との間が空気吸込部１５として構成される。
【０００３】
従来の空気調和機は上記のように構成されており、空気吸込部１５が縦桟１３と横桟１４とで構成され、縦桟１３と横桟１４との間隔を所定以下にすることにより、指等を室内ユニット１２の本体内部に挿入されない構造とし、内部の金属部等での怪我を防止していた。
また、横桟１４は手前側に向かって斜め上方向に延出形成されていることで、室内ユニット１１の正面から本体内部が視野に入ることはない。
【０００４】
【発明が解決しようとする課題】
上記のような従来の空気調和機以外のものとして、近年は清掃性を向上させるため、室内ユニットの前面パネルの大半を占めていた縦桟と横桟から構成された細かく分割された空気吸込部を廃止し、前面パネルの大半をフラットな面とするが、性能を確保するため１ヶ所もしくは２ヶ所程度の比較的大きな空気吸込部を設けるものががある。
このような、室内ユニットの前面パネルに比較的大きな空気吸込部を設けた空気調和機では、空気吸込部より指等が室内ユニットの本体内部に挿入され、金属部等での怪我や、正面方向から室内ユニットの本体内部が視野に入るという問題点があった。
【０００５】
本発明は、このような問題点を解決するためになされたものであり、室内ユニットの前面パネルの大半をフラットな面とし、１ヶ所、もしくは２ヶ所程度の比較的大きな空気吸込部を備え、その空気吸込部より指等が挿入されることがなく、正面方向から見て室内ユニットの本体内部が視野に入らない空気調和機を得ることを目的とする。
【０００６】
【課題を解決するための手段】
本発明の請求項１に係る空気調和機は、室内ユニット内に熱交換器、ファン及び高電圧部を収納し、室内ユニットの脱着自在な前面パネルに空気吸込部を１個所もしくは２個所程度に集約して配置した空気調和機において、前記前面パネルに前記空気吸込部の幅方向に所定間隔を置いて垂直方向に突出する複数の格子支持部材を一体的に設け、該格子支持部材に格子部品を装着したものである。
【０００７】
本発明の請求項２に係る空気調和機は、前記格子部品の格子の間隔が、指が入らない間隔としたものである。
【０００８】
本発明の請求項３に係る空気調和機は、前記格子部品の前記前面パネルへの装着は、該前面パネル裏側としたものである。
【０００９】
本発明の請求項４に係る空気調和機は、室内ユニット内に熱交換器、ファン及び高電圧部を収納し、室内ユニットの脱着自在な前面パネルに空気吸込部を１個所もしくは２個所程度に集約して配置した空気調和機において、前記前面パネルは前記空気吸込部の開口を正面より見て塞ぐようにした開口閉塞部材を備えているものである。
【００１０】
本発明の請求項５に係る空気調和機は、前記格子部品が前記空気吸込部の開口を正面より見て塞ぐようにした開口閉塞部材を備えているものである。
【００１１】
本発明の請求項６に係る空気調和機は、前記格子部品の色を前記前面パネルの色と相違させたものである。
【００１２】
本発明の請求項７に係る空気調和機は、前記空気吸込部の開口を正面より見て塞ぐようにした開口閉塞部材の色を前記前面パネルの色と相違させたものである。
【００１３】
【発明の実施の形態】
実施の形態１．
図１は本発明の実施の形態１に係る空気調和機全体の断面図、図２は同空気調和機の前面パネルと格子部品の嵌合部分を示す拡大図、図３は同空気調和機の前面パネルの正面図、図４は同空気調和機の前面パネルの裏側よりの斜視図、図５は同空気調和機の前面パネル単品の斜視図、図６は同空気調和機の格子部品単品の斜視図である。
図１〜図４において、１は空気調和機の室内ユニット、２は室内ユニット１の前面パネル、３は前面パネル２に１個所に集約した開口を設けて形成された空気吸込部、４は前面パネル２の裏面で空気吸込部３のある位置に空気吸込部３の幅方向に所定間隔を置いて垂直方向に突出するよう一体的に設けられた複数の格子支持部材、５は複数の格子支持部材４に係合して支持される複数の垂直格子片と複数の水平格子片とで構成される格子部品、７は室内ユニット１内の前面パネル２寄りに配置された高電圧部、８は室内ユニット１内の後側に配置されたファン、９は室内ユニット１内でファン８を取り巻くように配置された熱交換器である。
【００１４】
４ａは複数の格子支持部材４の上端にそれぞれ設けられた上部係合受部、５ａは格子部品５の上端に取り付けられ、格子支持部材４の上部係合受部４ａに係合するバー状の上部係合部材である。
また、４ｂは複数の格子支持部材４の下端にそれぞれ設けられた下部係合受部、５ｂは格子部品５の下端に取り付けられ、格子支持部材４の下部係合受部４ｂに係合するバー状の下部係合部材である。
さらに、４ｃは複数の格子支持部材４の下端側にそれぞれ設けられた係合用穴、５ｃは格子部品５の垂直格子片に設けられ、格子支持部材４の係合用穴４ｃに係合する係合用突起である。
また、４ｄは複数の格子支持部材４の内側面にそれぞれ設けられ、格子部品５の水平格子片が係止される係止溝である。
なお、格子部品４の垂直格子片と水平格子片とからなる格子の間隔は指が入らない間隔に設定されている。
【００１５】
次に、本発明の実施の形態１の空気調和機の室内ユニット１の前面パネル２に対する格子部品５の取り付けについて説明する。
まず、前面パネル２の裏面に取り付けられている複数の格子支持部材４の下部係合受部４ｂに格子部品５のバー状の下部係合部材５ｂを嵌め込んで係合させる。
次に、そこを支点として回転させ、格子部品５の変形を利用しながら、複数の格子支持部材４の上部係合受部４ａに格子部品５のバー状の上部係合部材５ａを嵌め込んで係合させることにより、図２に示すように前面パネル２の裏面に取り付けられている複数の格子支持部材４に格子部品５を容易に装着することができる。
【００１６】
また、格子支持部材４の上部係合受部４ａに格子部品５の上部係合部材５ａを係合させるときに、複数の格子支持部材４の内側面に設けられた係止溝４ｄに格子部品５の水平格子片も係止される。
しかる後に、格子部品５を横方向、即ち空気吸込部５の幅方向に少し移動させることにより、複数の格子支持部材４に設けた係合用穴４ｃに格子部品５の垂直格子片に設けられ係合用突起５ｃが係合させられる。
なお、前面パネル２の複数の格子支持部材４に格子部品５を装着する場合、格子支持部材４の下部係合受部４ｂに格子部品５の下部係合部材５ｂを係合させてから格子支持部材４の上部係合受部４ａに格子部品５の上部係合部材５ａを係合させるようにしているが、逆に格子支持部材４の上部係合受部４ａに格子部品５の上部係合部材５ａを係合させてから格子支持部材４の下部係合受部４ｂに格子部品５の下部係合部材５ｂを係合させるようにしてもよい。
【００１７】
本発明の実施の形態１の空気調和機によれば、室内ユニット１の前面パネル２に１個所に集約した空気吸込部３の幅方向に所定間隔を置いて垂直方向に突出する複数の格子支持部材４を一体的に設け、格子支持部材４に脱着自在な格子部品５を装着し、空気吸込部３を格子部品５で覆うようにしたことにより、空気吸込部３より室内ユニット１の本体内部に指等が挿入されることを防止できる。
また、格子部品４の格子の間隔を指が入らない間隔としたことにより、格子部品４の格子の間から室内ユニット１の本体内部に指等が挿入されることを確実に防止できる。
さらに、複数の格子支持部材４に設けた係合用穴４ｃに格子部品５の垂直格子片に設けられ係合用突起５ｃを係合させることにより、前面パネル２に格子部品４をさらに強固に装着することができる。
また、格子部品４の前面パネル２への装着は、前面パネル２の裏側としたことにより、格子部品４の取り外しは前面パネル２を室内ユニット１から取り外した後となり、容易ではなく、ユーザによる部品の欠落のおそれがないものとなっている。
【００１８】
実施の形態２．
図７は本発明の実施の形態２の空気調和機全体の断面図である。
図７において、１は空気調和機の室内ユニット、２は室内ユニット１の前面パネル、３は前面パネル２に開口を設けて形成された空気吸込部、６は前面パネル２の裏側に取り付けられ、空気吸込部３の開口を正面より見て塞ぐようにした開口閉塞部材、７は室内ユニット１内の前面パネル２寄りに配置された高電圧部、８は室内ユニット１内の後側に配置されたファン、９は室内ユニット１内でファン８を取り巻くように配置された熱交換器である。
【００１９】
本発明の実施の形態２の空気調和機によれば、室内ユニット１の前面パネル２は、空気吸込部３の開口を正面より見て塞ぐようにした開口閉塞部材６を備えているので、室内ユニット１を正面方向から見て室内ユニット１の本体内部が開口閉塞部材６によって遮られて視野に入ることがない。
【００２０】
実施の形態３．
図８は本発明の実施の形態３の空気調和機の前面パネルの裏側よりの斜視図、図９は同茎調和機の空気吸込部の開口部を正面視より塞ぐ部品の機能を持つ格子部品単品の斜視図である。
図９において、本発明の実施の形態１と同様の構成は同一符号を付して構成の詳細な説明を省略する。
１０は格子部品５の上端に一体的に取り付けられ、空気吸込部３の開口を正面より見て塞ぐようにした開口閉塞部材である。
本発明の実施の形態３の空気調和機によれば、格子部品５は空気吸込部３の開口を正面より見て塞ぐようにした開口閉塞部材１０を備えているので、前面パネル２に取り付けられた複数の格子支持部材４に格子部品５を装着した場合に、室内ユニット１を正面方向から見て室内ユニット１の本体内部が格子部品５に一体的に取り付けられた開口閉塞部材１０によって遮られて視野に入ることがない。
また、開口閉塞部材１０を有する格子部品５が実施の形態２の空気吸込部３の開口を正面より見て塞ぐ部品６の機能を兼ねたことにより、部品点数を削減することができる。
【００２１】
実施の形態４．
この実施の形態４は、実施の形態１における格子部品４の色を前面パネル２の色と相違させたものである。
このように、格子部品４の色を前面パネル２の色と相違させたことにより、再利用する際に部品の取り外しの判別が容易となる。
【００２２】
実施の形態５．
この実施の形態５は、実施の形態２における前面パネル２の裏側に取り付けられ、空気吸込部３の開口を正面より見て塞ぐようにした開口閉塞部材６の色を前面パネル２の色と相違させたものである。
このように、前面パネル２に取り付けられた開口閉塞部材６の色を前面パネル２の色と相違させたことにより、再利用する際に部品の取り外しの判別が容易である。
なお、上記実施の形態では、室内ユニット１の前面パネル２に１個所に集約した空気吸込部３について説明しているが、前面パネル２に２個所に集約した空気吸込部３についても適用があることはいうまでもない。
【００２３】
【発明の効果】
以上のように本発明によれば、室内ユニットの前面パネルに１個所もしくは２個所程度に集約した空気吸込部の幅方向に所定間隔を置いて垂直方向に突出する複数の格子支持部材を一体的に設け、格子支持部材に格子部品を装着し、空気吸込部を格子部品で覆うようにしたことにより、空気吸込部より室内ユニットの本体内部に指等が挿入されることを防止できるという効果がある。
【図面の簡単な説明】
【図１】本発明の実施の形態１に係る空気調和機全体の断面図である。
【図２】同空気調和機の前面パネルと格子部品の嵌合部分を示す拡大図である。
【図３】同空気調和機の前面パネルの正面図である。
【図４】同空気調和機の前面パネルの裏側よりの斜視図である。
【図５】同空気調和機の前面パネル単品の斜視図である。
【図６】同空気調和機の格子部品単品の斜視図である。
【図７】本発明の実施の形態２の空気調和機全体の断面図である。
【図８】本発明の実施の形態３の空気調和機の前面パネルの裏側よりの斜視図である。
【図９】同茎調和機の空気吸込部の開口部を正面視より塞ぐ部品の機能を持つ格子部品単品の斜視図である。
【図１０】従来の空気調和機の前面パネルを示す正面図である。
【図１１】同空気調和機の前面パネルの断面図である。
【符号の説明】
１　室内ユニット、２　前面パネル、３　空気吸込部、４　格子支持部材、５格子部品、７　高電圧部、８　ファン、９　熱交換器。
【図１】
2004085153.tif 000003
【図２】
2004085153.tif 000004
【図３】
2004085153.tif 000005
【図４】
2004085153.tif 000006
【図５】
2004085153.tif 000007
【図６】
2004085153.tif 000008
【図７】
2004085153.tif 000009
【図８】
2004085153.tif 000010
【図９】
2004085153.tif 000011
【図１０】
2004085153.tif 000012
【図１１】
2004085153.tif 000013